(57)【要約】【課題】  躯体開口部に強固に取り付け可能であって、意匠性が良好であり、かつ結露の発生を防ぐサッシを提供する。【解決手段】  金属製の枠体と、金属製のアングルと、樹脂部材とを備え、アングルは、枠体の室内側に取り付けるものであって、見付片と、見込片からなり、樹脂部材は、室外側片と、室内側片からなり、室外側片は、枠体の室内側壁面とアングルの見付片の間に挟み込んであり、室内側片は、アングルの見付片の室内側面に設けてあって、室内側片の上からビス止めして枠体とアングルとを連結してある。【選択図】      図１
2014062372.tif 000002
【特許請求の範囲】
【請求項１】
金属製の枠体と、金属製のアングルと、樹脂部材とを備え、アングルは、枠体の室内側に取り付けるものであって、見付片と、見込片からなり、樹脂部材は、室外側片と、室内側片からなり、室外側片は、枠体の室内側壁面とアングルの見付片の間に挟み込んであり、室内側片は、アングルの見付片の室内側面に設けてあって、室内側片の上からビス止めして枠体とアングルとを連結してあることを特徴とするサッシ。
【請求項２】
室外側片と室内側片が一体に形成してあり、樹脂部材に係合部を設け、アングルに被係合部を設けてあって、係合部が被係合部に係合して内外周方向に位置決めするものであることを特徴とする請求項１記載のサッシ。
【発明の詳細な説明】
【技術分野】
【０００１】
本発明は、金属製の枠体を備えるサッシに関する。
【背景技術】
【０００２】
アルミなどの金属製の枠体を備えるサッシにおいては、室外側の冷気が枠体を通して室内側に伝わるため、結露が生じやすい。そこで、特許文献１に示すように、主に住宅用のサッシにおいて、枠体の室内側に樹脂製のアングルを取り付けることで、断熱性を向上させて結露の発生を防ぐものがある。
【先行技術文献】
【特許文献】
【０００３】
【特許文献１】特開２００１−２１４６６７号公報
【発明の概要】
【発明が解決しようとする課題】
【０００４】
しかしながら、ビル用のサッシにおいては、アングルを四周組んでから躯体開口部に取り付けるという手順で施工が行われており、この際、アングルに負荷がかかるため、樹脂製のアングルでは強固に取り付けられないという問題があった。また、樹脂製のアングルと、金属製の枠体や障子とで色や質感が異なるため、内観の意匠性が悪いという問題もあった。
【０００５】
本発明は、上記事情を鑑みたものであり、躯体開口部に強固に取り付け可能であって、意匠性が良好であり、かつ結露の発生を防ぐサッシを提供することを目的とする。
【課題を解決するための手段】
【０００６】
本発明のうち請求項１の発明は、金属製の枠体と、金属製のアングルと、樹脂部材とを備え、アングルは、枠体の室内側に取り付けるものであって、見付片と、見込片からなり、樹脂部材は、室外側片と、室内側片からなり、室外側片は、枠体の室内側壁面とアングルの見付片の間に挟み込んであり、室内側片は、アングルの見付片の室内側面に設けてあって、室内側片の上からビス止めして枠体とアングルとを連結してあることを特徴とする。
【０００７】
本発明のうち請求項２の発明は、室外側片と室内側片が一体に形成してあり、樹脂部材に係合部を設け、アングルに被係合部を設けてあって、係合部が被係合部に係合して内外周方向に位置決めするものであることを特徴とする。
【発明の効果】
【０００８】
本発明のうち請求項１の発明によれば、樹脂部材の室外側片により、室外側の枠体と室内側のアングルとが断熱されるので、結露の発生を防ぐことができる。そして、強度が高い金属製のアングルを備えるので、アングルを四周組んでから躯体開口部に取り付ける場合でも、強固に取り付けることができる。さらに、アングルと、枠体や障子の色や質感が統一されるので、内観の意匠性が良好である。また、樹脂部材の室内側片の上からビス止めしてあるので、枠体からビスに伝わる熱を遮断し、この部分の結露の発生も防ぐことができる。さらに、枠体は汎用のものをそのまま用いることができるので、アングルを有さないサッシと枠体を兼用できる。また、アングルと樹脂部材を枠体にビス止めするだけの簡易な構成であるから、コストが抑えられ、施工も容易である。
【０００９】
本発明のうち請求項２の発明によれば、室外側片と室内側片を一体に形成して、樹脂部材を一の部品にしたので、施工性が良好である。また、樹脂部材の係合部をアングルの被係合部に係合させるだけで内外周方向の位置決めをすることができるので、容易かつ正確に施工することができる。
【図面の簡単な説明】
【００１０】
【図１】第一実施形態の下枠部分の拡大図である。
【図２】第一実施形態の上枠部分の拡大図である。
【図３】第一実施形態の縦枠部分の拡大図である。
【図４】樹脂部材の断面図であり、（ａ）は下枠に取り付けるもの、（ｂ）は上枠及び縦枠に取り付けるものである。
【図５】サッシの縦断面図である。
【図６】サッシの横断面図である。
【図７】第二実施形態の下枠部分の拡大図である。
【発明を実施するための形態】
【００１１】
以下、本発明の実施の形態を図面に基づいて説明する。なお、以下において左右とは、図６における左右方向を示すものとする。このサッシの第一実施形態は、図５及び図６に示すように、アルミ製の枠体１に二枚の障子５ａ，５ｂを引き違いに納めた引き違い窓である。枠体１は、下枠１１と、上枠１２と、左右の縦枠１３とを四周枠組みして躯体開口部に取り付けたものである。下枠１１、上枠１２及び縦枠１３は、何れも室内側端に、内外周方向に延びる室内側壁面１１ａ，１２ａ，１３ａを有している。また、下枠１１は、室外側と室内側に二本のレール１１ｂ，１１ｃを有しており、上枠１２は、室外側にレール１２ｂを、室内側に溝１２ｄを有している。そして、外側の障子５ａは、下枠１１の室外側のレール１１ｂ上を左右に摺動するものであって、上端部が上枠１２のレール１２ｂに係合しており、内側の障子５ｂは、下枠１１の室内側のレール１１ｃ上を左右に摺動するものであって、上端部が上枠の溝１２ｄに係合している。さらに、下枠１１、上枠１２及び縦枠１３の室内側には、アルミ製のアングル２を取り付けてある。アングル２は、図１〜図３に示すように、見付片２１と、見込片２２からなる略Ｌ字形の形材である。見付片２１には、枠体１の内周側に向かって開口する略コ字形の樹脂部材３を取り付けてあり、見付片２１と、下枠１１、上枠１２又は縦枠１３の室内側壁面１１ａ，１２ａ，１３ａとが、樹脂部材３を挟んで連結してある。また、見込片２２は、躯体６の見込面にネジ止めして固定してある。
【００１２】
次に、枠体１とアングル２の連結部分について詳述する。ここではまず樹脂部材３について説明する。図４に示すのは、アングル２の見付片２１に取り付ける前の状態の樹脂部材３の断面図であり、（ａ）は下枠１１に取り付けるもの、（ｂ）は上枠１２及び縦枠１３に取り付けるものである。なお、図中に示した室内外方向及び内外周方向は、取り付けた状態を想定したものである。樹脂部材３は、内外周方向に延びる室外側片３１と、室外側片３１の外周側端から室内側に延びる連結片３４と、連結片３４の室内側端から内周側に延びる室内側片３２からなる略コ字形のもので、内周側に向かって開口する開口部３５が形成されている。ただし、下枠１１に取り付けるものについては（図４（ａ））、室外側片３１は室内側片３２の略二倍の長さである。一方、上枠１２及び縦枠１３に取り付けるものについては（図４（ｂ））、室外側片３１と室内側片３２の長さが略同じである。また、室内側片３２は、外周側から内周側に向けて室外側に傾斜していて、コ字形の開口部３５が開口側に向けて狭くなっており、最も狭い部分（室内側片３２の内周側端部）の幅は、アングル２の見付片２１の厚さよりも狭くなっている。一方、室内側片３２の内周側端面３６は外周側から内周側に向けて室内側に傾斜しており、開口部３５の開口端は開口側に向けて広がっている。さらに、室外側片３１の内周側端部の室内側面には、室内側に突出する突条である係合部３３を形成してある。
【００１３】
これに対して、図１〜図３に示すように、アングル２の見付片２１の内周側端部の室外側面には、溝状の被係合部２３を形成してある。そして、施工に際しては、アングル２の見付片２１を樹脂部材３のコ字形の開口部３５に挿入して、室外側片３１と室内側片３２で挟み込ませるとともに、係合部３３を被係合部２３に係合させて、アングル２と樹脂部材３とを一体にしてある。この際、樹脂部材３のコ字形の開口部３５の幅が見付片２１の厚さよりも狭くなっている部分があるが、開口部３５の開口端が開口側に向けて広がっているので、見付片２１の挿入は容易であり、見付片２１により開口部３５を押し広げることになる。そして、樹脂部材３の室外側片３１を下枠１１、上枠１２及び縦枠１３のそれぞれの室内側壁面１１ａ，１２ａ，１３ａに当接させて、室外側片３１を、室内側壁面１１ａ，１２ａ，１３ａとアングル２の見付片２１で挟み込ませてある。このようにすると、室内側から、樹脂部材３の室内側片３２、アングル２の見付片２１、樹脂部材３の室外側片３１及び下枠１１、上枠１２又は縦枠１３の室内側壁面１１ａ，１２ａ，１３ａが順に重なる。そして、これらを貫通するビス孔が設けてあって、室内側からビス４を螺入して、枠体１、アングル２及び樹脂部材３を連結してある。この際、下枠１１においては、アングル２の見込片２２の内周側面（上面）と、樹脂部材３の室外側片３１の内周側端面（上端面）と、下枠１１の室内側壁面１１ａの内周側端面（上端面）とが、面一になっている。一方、上枠１２及び縦枠１３においては、アングル２の見込片２２の内周側面と、樹脂部材３の室外側片３１の内周側端面は面一であるが、上枠１２又は縦枠１３の室内側壁面１２ａ，１３ａの内周側端面は、アングル２の見込片２２の内周側面及び樹脂部材３の室外側片３１の内周側端面よりも内周側に突出している。
【００１４】
このように構成したサッシによれば、樹脂部材３の室外側片３１により、室外側の枠体１と室内側のアングル２とが断熱されるので、結露の発生を防ぐことができる。そして、強度が高い金属製のアングル２を備えるので、アングル２を四周組んでから躯体開口部に取り付ける場合でも、強固に取り付けることができる。さらに、アングル２と、枠体１や障子５ａ，５ｂの色や質感が統一されるので、内観の意匠性が良好である。また、樹脂部材３の室内側片３２の上からビス止めしてあるので、枠体１からビス４に伝わる熱を遮断し、この部分の結露の発生も防ぐことができる。さらに、枠体１は汎用のものをそのまま用いることができるので、アングル２を有さないサッシと枠体を兼用できる。また、アングル２の見付片２１を樹脂部材３の室外側片３１と室内側片３２の間の開口部３５に挿入し、一体となったアングル２と樹脂部材３を枠体１にビス止めするだけの簡易な構成であるから、コストが抑えられ、施工も容易である。そして、施工に際しては、樹脂部材３の室内側片３２の内周側端面３６が外周側から内周側に向けて室内側に傾斜していて開口側に広がる形状となっているので、アングル２の見付片２１を挿入しやすい。また、室内側片３２が、外周側から内周側に向けて室外側に傾斜していて、挿入した見付片２１により室内側片３２を押し広げることになり、室外側片３１と室内側片３２とで見付片２１を挟み込むように弾性力が働くので、見付片２１が抜けにくく、その後のビス止め作業が容易である。さらに、樹脂部材３の係合部３３をアングル２の被係合部２３に係合させるだけで内外周方向の位置決めをすることができるので、容易かつ正確に施工することができる。
【００１５】
次に、本発明のサッシの第二実施形態について説明する。第二実施形態は、第一実施形態と比較して、下枠１１に設ける樹脂部材３の構成のみが異なっており、その他の部分は同じであるから、以下においては異なる部分についてのみ説明する。図７に示すように、第二実施形態の下枠１１に設ける樹脂部材３は、硬質の樹脂からなるものであって、上下に延びる室外側片３１と、室外側片３１の下端から室内側に延びる連結片３４と、連結片３４の室内側端から上側に延びる室内側片３２からなる略コ字形のものであり、室外側片３１の上端部に軟質の樹脂からなるシール部３７を設けてある。このシール部３７は、二色成型により、室外側片３１、連結片３４及び室内側片３２と一体に形成するものであってもよいし、別体のものを接着してもよい。このように構成することで、下枠１１とアングル２の密着性がより高められ、隙間からの水の浸入を防ぐことができる。なお、上枠１２や縦枠１３についても同様の構成としてもよいが、下枠１１が最も水が浸入しやすいので、少なくとも下枠１１をこのような構成とすることが望ましい。
【００１６】
本発明は、上記の実施形態に限定されない。この発明は種々のサッシに適用できるものであり、引き違い窓以外の種類の窓や、戸であってもよい。戸の場合、アングルは使用者に踏まれて大きな荷重を受けるので、強度が高い金属製のアングルを備える本発明は非常に有効である。また、樹脂部材の室外側片と室内側片は、別体のものであってもよい。さらに、室内側片は、外周側から内周側に向けて室外側に傾斜しているが、室内側片を中間部で屈曲させて、内周側の一部が室内側に向けて傾斜する形状とすれば、室外側片と室内側片の間の開口部の開口端が開口側に向けて大きく広がるので、よりアングルの見付片を挿入しやすくなる。
【符号の説明】
【００１７】
１  枠体
２  アングル
３  樹脂部材
４  ビス
１１ａ，１２ａ，１３ａ  室内側壁面
２１  見付片
２２  見込片
２３  被係合部
３１  室外側片
３２  室内側片
３３  係合部
【図１】
2014062372.tif 000003
【図２】
2014062372.tif 000004
【図３】
2014062372.tif 000005
【図４】
2014062372.tif 000006
【図５】
2014062372.tif 000007
【図６】
2014062372.tif 000008
【図７】
2014062372.tif 000009